(57)【特許請求の範囲】
【請求項１】
画像の表示面及び前記表示面とは反対側の裏面を有する液晶表示パネルと、
前記液晶表示パネルとの電気的な接続を図るための接続端子及び外部との電気的な接続を図るための外部端子が形成された第１フレキシブル配線基板と、
発光部品が搭載された搭載部及び前記搭載部と前記第１フレキシブル配線基板を電気的に接続するための延出部を含む第２フレキシブル配線基板と、を有し、
前記搭載部は、前記発光部品が搭載された面を前記液晶表示パネルの前記裏面に向けて、前記液晶表示パネルの前記裏面側に配置され、
前記第１フレキシブル配線基板は、
前記接続端子が形成され、前記液晶表示パネルの前記表示面側の端部に接合されている接続端子形成部と、
前記液晶表示パネルの裏面側に位置している第１の領域と、
前記液晶表示パネルの前記端部側の外縁の外側に向かう方向を外方向とした場合、前記外方向側に凸形状となるように屈曲して前記外縁の前記外方向側の一部を覆うとともに前記接続端子形成部と前記第１の領域に対して前記外方向側に位置し、前記接続端子形成部と前記第１の領域とに接続されている第１の屈曲部と、を有し、
前記搭載部の前記発光部品が搭載された前記面とは反対側の面からスペースをあけて配置されており、
前記外部端子は前記第１の領域に設けられ、
前記搭載部は前記第１フレキシブル配線基板の前記第１の領域と前記液晶表示パネルの前記裏面との間に配置され、
前記延出部は、
前記第１フレキシブル配線基板の前記第１の領域を挟んで前記搭載部とは反対側に位置している第２の領域と、
前記外方向側に凸形状となるように屈曲して前記搭載部と前記第２の領域とに接続するとともに、前記搭載部と前記第２の領域とに対して前記外方向側に位置し、前記外縁に沿った方向から前記液晶表示パネルを見た場合に前記第１フレキシブル配線基板と交差している第２の屈曲部と、を有し、
前記外部端子は、前記液晶表示パネルの前記外縁から前記液晶表示パネルの中央に向かう方向を、前記外方向とは逆の方向である内方向とした場合に、前記第１の領域内において、前記搭載部よりも前記内方向側の位置に設けられている、
ことを特徴とする液晶表示装置。
【請求項２】
請求項１に記載された液晶表示装置において、
前記第１フレキシブル配線基板と前記第２フレキシブル配線基板は、一体的に形成されている、
ことを特徴とする液晶表示装置。
【請求項３】
請求項１に記載された液晶表示装置において、
前記第１フレキシブル配線基板と前記第２フレキシブル配線基板は、別部材からなり、
前記延出部は、前記第２の領域において前記第１フレキシブル配線基板に接合して電気的に接続することを特徴とする液晶表示装置。
【請求項４】
請求項１から３のいずれか１項に記載された液晶表示装置において、
前記第１フレキシブル配線基板は、前記液晶表示パネルの前記端部から引き出された部分に、前記端部の辺に沿った方向を深さとする切り欠きが形成され、
前記第２の屈曲部は、前記切り欠きを通って、前記第１フレキシブル配線基板と交差していることを特徴とする液晶表示装置。
【請求項５】
請求項１から４のいずれか１項に記載された液晶表示装置において、
前記第１フレキシブル配線基板は、前記接続端子及び前記外部端子を相互に反対側の端部に有することを特徴とする液晶表示装置。
【請求項６】
請求項１から５のいずれか１項に記載された液晶表示装置において、
前記第１フレキシブル配線基板に搭載された電子部品をさらに有することを特徴とする液晶表示装置。
【請求項７】
請求項１から６のいずれか１項に記載された液晶表示装置において、
前記第１フレキシブル配線基板と前記第２フレキシブル配線基板は、前記延出部のみで接続され、
前記延出部は、前記第１フレキシブル配線基板の前記液晶表示パネルとの接合部の幅方向に沿っていずれかの方向に偏った位置に形成されていることを特徴とする液晶表示装置。
【発明の詳細な説明】
【技術分野】
【０００１】
本発明は、液晶表示装置に関する。
【背景技術】
【０００２】
バックライトを備える液晶表示装置は、液晶表示パネル及び発光部品を有しており、これらとの電気的接続にフレキシブル配線基板を使用することが知られている。また、液晶表示パネルとの電気的接続用のフレキシブル配線基板と、発光部品との電気的接続用のフレキシブル配線基板とを共通化することも知られている。詳しくは、発光部品が搭載されたフレキシブル配線基板が液晶表示パネルに接合されるようになっている（特許文献１）。
【０００３】
液晶表示パネルから引き出されたフレキシブル配線基板は、外部との電気的接続用の外部端子を有している。外部端子と液晶表示パネルの間には両者を電気的に接続する多数の配線があるため、これらを避けるように発光部品を配置する必要がある。つまり、発光部品は、フレキシブル配線基板上で、液晶表示パネルの近くに配置することができず、液晶表示パネルから離れた位置に配置されている。
【０００４】
液晶表示パネルから延びるフレキシブル配線基板は屈曲させられて、発光部品は、液晶表示パネルの裏側に配置された導光板の端部に隣り合うように配置される。発光部品の位置は、液晶表示パネルの端部である。
【先行技術文献】
【特許文献】
【０００５】
【特許文献１】特開２００９−２１６７５３号公報
【発明の概要】
【発明が解決しようとする課題】
【０００６】
フレキシブル配線基板を、発光部品が液晶表示パネルの端部に配置されるように屈曲させると、その大部分が、矩形の外形を有する液晶表示パネル及びバックライトから突出した状態となる。そこで、さらにフレキシブル配線基板を屈曲させて、その大部分を、液晶表示パネル及びバックライトに重ねることで、略液晶表示パネル及びバックライトの外形と等しくなり、液晶表示装置の外形の小型化を図ることができる。
【０００７】
しかし、このように２回折り返すと、フレキシブル配線基板は、液晶表示パネルから延びる屈曲部分の内側に、発光部品から延びる屈曲部分が配置されることになる。その結果、発光部分から延びる屈曲部分の内側にスペースを確保できず、他の回路基板を挿入することができない。
【０００８】
本発明は、内側にスペースを確保できるようにフレキシブル配線基板を屈曲させることを目的とする。
【課題を解決するための手段】
【０００９】
（１）本発明に係る液晶表示装置は、画像の表示面及び前記表示面とは反対側の裏面を有する液晶表示パネルと、前記液晶表示パネルとの電気的な接続を図るための接続端子及び外部との電気的な接続を図るための外部端子が形成された第１フレキシブル配線基板と、発光部品が搭載された搭載部及び前記第１フレキシブル配線基板に電気的に接続するための延出部を含む第２フレキシブル配線基板と、を有し、前記搭載部は、前記発光部品が搭載された面を前記液晶表示パネルの前記裏面に向けて、前記液晶表示パネルの前記裏面側に配置され、前記第１フレキシブル配線基板は、前記接続端子が形成された部分が前記液晶表示パネルの前記表示面側の端部に接合され、前記液晶表示パネルの前記端部から引き出されて屈曲し、前記搭載部の前記発光部品が搭載された前記面とは反対側の面にスペースをあけて重ねられ、前記外部端子は前記裏面側に配置され、前記延出部は、前記搭載部から引き出され、前記搭載部の方向に戻るように屈曲し、前記第１フレキシブル配線基板の外表面上で前記第１フレキシブル配線基板と重なることを特徴とする。本発明によれば、延出部が第１フレキシブル配線基板の外側に配置されるので、第１フレキシブル配線基板の内側のスペースを広く確保することができる。
【００１０】
（２）（１）に記載された液晶表示装置において、前記第１フレキシブル配線基板と前記第２フレキシブル配線基板は、一体的に形成されており、前記延出部は、前記第１フレキシブル配線基板の前記外表面と重なる部分から前記第１フレキシブル配線基板を超えるように延び、前記第１フレキシブル配線基板の方向に戻るように屈曲して前記第１フレキシブル配線基板に接続することを特徴としてもよい。
【００１１】
（３）（１）に記載された液晶表示装置において、前記第１フレキシブル配線基板と前記第２フレキシブル配線基板は、別部材からなり、前記延出部は、前記第１フレキシブル配線基板の前記外表面と重なる部分で前記第１フレキシブル配線基板に接合して電気的に接続することを特徴としてもよい。
【００１２】
（４）（１）から（３）のいずれか１項に記載された液晶表示装置において、前記第１フレキシブル配線基板は、前記液晶表示パネルの前記端部から引き出された部分に、前記端部の辺に沿った方向を深さとする切り欠きが形成され、前記延出部は、前記切り欠きを通って、前記搭載部から前記第１フレキシブル配線基板の前記外表面上に延びることを特徴としてもよい。
【００１３】
（５）（１）から（３）のいずれか１項に記載された液晶表示装置において、前記延出部は、前記第１フレキシブル配線基板からはみ出すように前記搭載部から延び、前記第１フレキシブル配線基板との重複を避けた位置で前記第１フレキシブル配線基板の方向に戻るように延びる平面形状を有することを特徴としてもよい。
【００１４】
（６）（１）から（５）のいずれか１項に記載された液晶表示装置において、前記第１フレキシブル配線基板は、前記接続端子及び前記外部端子を相互に反対側の端部に有し、前記液晶表示パネルの前記端部から引き出された先端に前記外部端子を有することを特徴としてもよい。
【００１５】
（７）（１）から（６）のいずれか１項に記載された液晶表示装置において、前記第１フレキシブル配線基板に搭載された電子部品をさらに有することを特徴としてもよい。
【００１６】
（８）（１）から（７）のいずれか１項に記載された液晶表示装置において、前記第１フレキシブル配線基板と前記第２フレキシブル配線基板は、前記延出部のみで接続され、前記延出部は、前記第１フレキシブル配線基板の前記液晶表示パネルとの接合部の幅方向に沿っていずれかの方向に偏った位置に形成されていることを特徴としてもよい。
【００１７】
（９）（１）から（８）のいずれか１項に記載された液晶表示装置において、前記第１フレキシブル配線基板は、屈曲する側とは反対側の方向に前記搭載部を超えるように延び、前記外部端子は、前記搭載部を超えた位置に配置されていることを特徴としてもよい。
【００１８】
（１０）本発明に係る液晶表示装置は、薄膜トランジスタを形成した第１基板と、カラーフィルタを形成した第２基板と、前記第１基板と前記第２基板とに挟まれた液晶とを備える液晶表示パネルと、前記液晶パネルの背面側に配置したバックライトと、前記第１基板に接続したフレキシブル配線基板とを有する液晶表示装置であって、前記フレキシブル配線基板は、一体に形成された第１フレキシブル配線基板と第２フレキシブル配線基板とを有し、前記第１フレキシブル配線基板は、前記液晶表示パネルに接続した接続端子を有し、前記第１基板の端部を覆って前記バックライトの背面側に延在し、前記第２フレキシブル配線基板は、発光部品が搭載された搭載部と、前記搭載部と前記第１フレキシブル配線基板とを接続する延出部とを有し、前記第２フレキシブル配線基板は、前記延出部が前記第１フレキシブル配線基板の背面側に配置され、前記搭載部が前記バックライトの背面側に配置された前記第１フレキシブル配線基板よりも前記バックライト側に配置されていることを特徴とする。
【００１９】
（１１）（１０）において、前記第１フレキシブル配線基板は、前記第１基板の端部から遠ざかる方向に凸の第１屈曲部を有し、前記第１屈曲部を介して前記液晶表示パネルに接続した前記接続端子から前記バックライトの背面側に延在し、前記延出部は、前記バックライトの背面側の前記第１フレキシブル配線基板から前記第１屈曲部とは反対方向に凸の第２屈曲部を介して前記バックライトの背面側に配置された前記第１フレキシブル配線基板よりも背面側に配置され、前記延出部は前記第１屈曲部と同じ方向に凸の第３屈曲部を介して前記搭載部に接続していることを特徴としてもよい。
【００２０】
（１２）（１０）において、前記第１フレキシブル配線基板はデータが入力される外部接続端子を備えたことを特徴としてもよい。
【図面の簡単な説明】
【００２１】
【図１】本発明の第１の実施形態に係る液晶表示装置の背面を示す図である。
【図２】図１に示す液晶表示装置のII−II線断面の拡大図である。
【図３】フレキシブル配線基板を展開して示す液晶表示装置の図である。
【図４】製造途中の液晶表示装置を示す図である。
【図５】第１の実施形態に係る液晶表示装置の効果を説明するための図である。
【図６】第２の実施形態に係る液晶表示装置を、フレキシブル配線基板を展開して示す図である。
【図７】製造途中の液晶表示装置を示す図である。
【図８】第２の実施形態に係る液晶表示装置の背面を示す図である。
【図９】図８に示す液晶表示装置のIX−IX線断面の拡大図である。
【図１０】第３の実施形態に係る液晶表示装置の背面を示す図である。
【図１１】図１０に示す液晶表示装置のXI−XI線断面の拡大図である。
【図１２】本発明の実施形態に係る液晶表示装置の全体を示す正面図である。
【発明を実施するための形態】
【００２２】
以下、本発明の実施形態について、図面を参照して説明する。
【００２３】
［第１の実施形態］
図１は、本発明の第１の実施形態に係る液晶表示装置の背面を示す図である。図２は、図１に示す液晶表示装置のII−II線断面の拡大図である。図１２は液晶表示装置を表示面側から見たときの正面図である。液晶表示装置の表示面は矩形である。また液晶表示装置の外形も矩形である。
【００２４】
図２に示すように、液晶表示装置は、液晶表示パネル１０を有する。液晶表示パネル１０は、一対の基板１２，１４及び両者間に挟まれた図示しない液晶を有する。一対の基板１２，１４は、一方の基板１４が他方の基板１２から突出するようにずれて配置されている。なお、一対の基板１２，１４の外側の面にはそれぞれ偏光板が配置されているが、図中においては省略してある。
【００２５】
液晶表示パネル１０は、画像が表示される表示面１６を有し、表示面１６とは反対側の裏面１８を有する。表示面１６は、一対の基板１２，１４のずれた方向において短い方の基板１２の外面（図示しない液晶とは反対側の面）である。突出する基板１４の外面（図示しない液晶とは反対側の面）が、液晶表示パネル１０の裏面１８である。第１基板１４の液晶側の面には画素、薄膜トランジスタ、薄膜トランジスタに繋がる配線が形成されている。また、突出する一方の基板１４には、他方の基板１２からの突出領域に、液晶の駆動回路を内蔵する集積回路チップ２０が搭載されている。集積回路チップ２０は配線を介して薄膜トランジスタを駆動している。集積回路チップ２０が搭載される面は、液晶表示パネル１０の裏面１８とは反対側の面（表示面１６と同じ方向を向く面）である。他方の第２基板１２の液晶側の面にはカラーフィルタが形成され、このカラーフィルタにより画像の表示を可能にしている。
【００２６】
液晶表示装置は、液晶表示パネル１０の背面側にバックライト２２を有する。バックライト２２は、光源となる発光部品２４（例えば発光ダイオード）と、導光板２３、導光板２３と液晶表示パネル１０の間に配置された光学シート（図示無し）、導光板２３の背面に配置された反射シート５０（図５参照）などを含む。発光部品２４からの光は、導光板２３の端面に入射し、導光板２３の液晶表示パネル１０に対向する面から出射される。
【００２７】
バックライト２２及び液晶表示パネル１０は、フレーム２６（内フレーム又は中フレーム）に保持されている。フレーム２６は、例えば樹脂のモールド成形によって形成される。フレーム２６の他に、図示しない上フレーム及び下フレームが設けられる。
【００２８】
液晶表示装置は、フレキシブル配線基板２８を有する。液晶表示装置の外部からの画像データはフレキシブル配線基板２８を通って集積回路チップ２０に伝達される。フレキシブル配線基板２８は、液晶表示パネル１０の第１基板１４に取り付けられている。フレキシブル配線基板２８は、図示しない配線パターンを有しており、液晶表示パネル１０と電気的に接続されている。フレキシブル配線基板２８は、図２に示すように複数回屈曲して配置されている。図１及び図２の液晶表示装置において、フレキシブル配線基板は３箇所折り曲げてある。また、第２フレキシブル配線基板３２の搭載部４２が外部端子３６よりも液晶表示パネル１０の中央側に位置するように、フレキシブル配線基板２８は折り曲げられる。
【００２９】
図３は、フレキシブル配線基板２８を展開して示す液晶表示装置の図である。本実施形態では、フレキシブル配線基板２８は、第１フレキシブル配線基板３０及び第２フレキシブル配線基板３２が一体化したものである。言い換えると、本実施形態の説明で、第１フレキシブル配線基板３０及び第２フレキシブル配線基板３２は、それぞれ、フレキシブル配線基板２８の一部を指す。第１フレキシブル配線基板３０と第２フレキシブル配線基板３２とが一体に形成されているため、第１フレキシブル基板配線３０と第２フレキシブル基板配線３２の接続工程が不要である。さらに、第１フレキシブル配線基板３０と第２フレキシブル配線基板３２を半田接続していないので、接続部が剥がれる心配がない。
【００３０】
液晶表示装置は、第１フレキシブル配線基板３０を有する。第１フレキシブル配線基板３０には、液晶表示パネル１０との電気的な接続を図るための接続端子３４（図２参照）が形成されている。第１フレキシブル配線基板３０は、接続端子３４が液晶表示パネル１０の表示面１６側の端部に接合されている。詳しくは、突出する基板１４の表示面１６と同じ方向を向く面に接続端子３４が接合されている。
【００３１】
第１フレキシブル配線基板３０には、外部との電気的な接続を図るための外部端子３６が形成されている。第１フレキシブル配線基板３０は、液晶表示パネル１０の端部から引き出された先端に外部端子３６を有する。接続端子３４及び外部端子３６は、図３に示すように、長さ方向において相互に反対側の端部に位置する。
【００３２】
第１フレキシブル配線基板３０には、少なくとも１つの電子部品３８が搭載されている。電子部品３８は、抵抗、キャパシタ、インダクタなどの受動素子のみであってもよい。電子部品３８は、接続端子３４及び外部端子３６の間に搭載されている。
【００３３】
第１フレキシブル配線基板３０には切り欠き４０が形成されている。切り欠き４０は、液晶表示パネル１０の端部から引き出された部分に、端部の辺に沿った方向を深さとして形成されている。
【００３４】
液晶表示装置は、第２フレキシブル配線基板３２を有する。第２フレキシブル配線基板３２は、少なくとも１つの発光部品２４が搭載された搭載部４２を有する。この発光部品２４と電子部品３８とはフレキシブル配線基板２８の同じ面に配置されている。また、接続端子３４は、発光部品２４及び電子部品３８と同じ面に形成されている。第２フレキシブル配線基板３２は、第１フレキシブル配線基板３０に電気的に接続するための延出部４４を含む。延出部４４が第１フレキシブル配線基板３０から延びている。本実施例では、折り曲げ前の延出部４４はＹ方向に真直ぐに延びている。第１フレキシブル配線基板３０と第２フレキシブル配線基板３２（搭載部４２）は、少なくとも１つ（図３では１つ）の延出部４４で接続されている。延出部４４は、第１フレキシブル配線基板３０の液晶表示パネル１０との接合部の幅方向（Ｘ方向）に沿っていずれかの方向に偏った位置に形成されている。この偏った側に切り欠き４０が形成されている。
【００３５】
図４は、製造途中の液晶表示装置を示す図であり、フレキシブル配線基板２８を１回屈曲させた状態である。この第１の工程では、図３に示すフレキシブル配線基板２８の延出部４４を、図４に示すように屈曲させる。図４に示す状態では、第２フレキシブル配線基板３２の延出部４４は、第１フレキシブル配線基板３０の切り欠き４０を通るように屈曲している。詳しくは、延出部４４は、搭載部４２と第１フレキシブル配線基板３０の中間よりも第１フレキシブル配線基板３０に近い位置で屈曲している。延出部４４の第１フレキシブル配線基板３０からの屈曲方向は、液晶表示パネル１０の表示面１６（図４の紙面裏側）の方向である。そして、延出部４４は、第１フレキシブル配線基板３０から液晶表示パネル１０の方向に延びる。発光部品２４の搭載部４２は、液晶表示パネル１０又は少なくともフレーム２６と重なる位置に配置される。すなわち、この工程では、延出部４４は表示面１６側に屈曲されるが、発光部品配置した搭載部４２は裏面１８側に配置される。
【００３６】
次の工程（第２工程）では、図４に示す屈曲させたフレキシブル配線基板２８を、さらに図１及び図２に示すように、第１フレキシブル配線基板３０を第１基板１４の端部及びフレーム２６を覆って屈曲させる。図２に示す状態で、第１フレキシブル配線基板３０は、液晶表示パネル１０の端部から引き出されて、液晶表示パネル１０の裏面１８又は少なくともフレーム２６の背面の上方に向かうように屈曲している。第１フレキシブル配線基板３０の切り欠き４０は、屈曲する部分に形成されている。第１フレキシブル配線基板３０と液晶表示パネル１０の裏面１８又は少なくともフレーム２６の背面とは間隔をあけて重ねられている（図２参照）。外部端子３６は、液晶表示パネル１０の裏面１８側に配置されている（図１参照）。
【００３７】
第２工程により、第１フレキシブル配線基板３０は、液晶表示パネル１０に接続した部分から基板１４の端部を覆ってバックライト２２の背面側に延在する構造に形成される。また、第１フレキシブル配線基板３０の内、基板１４の端部を覆っている部分は、基板１４の端部から遠ざかる方向に凸の第１屈曲部２８１である。第１フレキシブル配線基板３０はこの第１屈曲部２８２を介して接続端子３４からバックライト２２の背面側に延在している。
【００３８】
第２フレキシブル配線基板３２は、発光部品２４が搭載された搭載部４２と、搭載部４２と第１フレキシブル配線基板３０とを接続する延出部４４とを有する。第２フレキシブル配線基板３２は、延出部４４の一部が第１フレキシブル配線基板３０の背面側に配置されている。この構造は、延出部４４を屈曲させることによって達成される。延出部４４は、バックライト２２の背面側の第１フレキシブル配線基板３０から第１屈曲部２８１とは反対方向に凸の第２屈曲部２８２を有する。第２屈曲部２８２によって、延出部４４の一部が、バックライト２２の背面側に配置された第１フレキシブル配線基板３０よりもさらに背面側（背面の前方側）に配置される。また、延出部４４は、第１屈曲部２８１の近傍で、第１屈曲部２８１と同じ方向に凸の第３屈曲部２８３を有する。第３屈曲部２８３は、バックライトの背面側に配置された第１フレキシブル配線基板３０と導光板２３との間に配置された搭載部４２と繋がっている。このような構造とすることで、光学部品２４を導光板２３の側面に位置する入光面に対向して配置している。
【００３９】
図２に示すように、第２フレキシブル配線基板３２の搭載部４２は、液晶表示パネル１０の裏面１８側に配置されている。発光部品２４が搭載された面が、液晶表示パネル１０の裏面１８に向けられている。搭載部４２の発光部品２４が搭載された面とは反対側の面に、第１フレキシブル配線基板３０がスペースをあけて重ねられている。図１に示すように、第１フレキシブル配線基板３０は、その屈曲している側とは反対側の方向（図１で上方向）に、搭載部４２の上方を超えるように延びている。外部端子３６は、搭載部４２を超えた位置に配置されている。
【００４０】
図１に示すように、延出部４４は、第１フレキシブル配線基板３０の外表面４６（液晶表示パネル１０とは反対側を向く面）と重なる部分から第１フレキシブル配線基板３０を超えるように（図１では上方向に）延びている。そして、延出部４４は、第１フレキシブル配線基板３０の方向（図１では下方向）にわずかに戻るように屈曲して第１フレキシブル配線基板３０に接続する。
【００４１】
図２に示すように、第２フレキシブル配線基板３２の延出部４４は、第１フレキシブル配線基板３０の切り欠き４０を通って、発光部品２４を備えた搭載部４２から第１フレキシブル配線基板３０の外表面４６上に延びる。つまり、延出部４４は、搭載部４２から引き出され、搭載部４２の上方の方向に戻るように屈曲している。そして、延出部４４は、第１フレキシブル配線基板３０の外表面４６上で第１フレキシブル配線基板３０と重なる。結果として、本発明によれば、第１フレキシブル配線基板３０と延出部４４とは、フレキシブル配線基板２８の厚さ方向において交差する構造となる。また、本実施形態では延出部４４が切り欠き４０を通っているので、フレキシブル配線基板２８の幅を大きくすることなく、折り曲げることができる。
【００４２】
本実施形態によれば、延出部４４が第１フレキシブル配線基板３０の外側に配置されている（図１参照）。そのため、第１フレキシブル配線基板３０の内側（液晶表示パネル１０側）のスペースを広く確保することができる。このスペースには、図５に示すように、回路基板４８を挿入することができる。回路基板４８には、例えば、液晶表示装置を組み込んだ携帯電話機などの電子機器を駆動するための回路が搭載されている。また、本実施形態によれば、第１フレキシブル配線基板３０よりも幅の狭い延出部４４が外表面４６側に配置される。そのため、第１フレキシブル配線基板３０とバックライトとの間にできる前述スペース内で延出部４４が撓むことを防止できる。スペース内に撓みが無いので、回路基板４８をスペースの奥まで挿入でき、回路基板４８の配置可能領域が拡大する。
【００４３】
［第２の実施形態］
図６は、第２の実施形態に係る液晶表示装置を、フレキシブル配線基板を展開して示す図である。図７は、製造途中の液晶表示装置を示す図である。図８は、第２の実施形態に係る液晶表示装置の背面を示す図である。図９は、図８に示す液晶表示装置のIX−IX線断面の拡大図である。
【００４４】
第１の実施形態で説明したフレキシブル配線基板２８（図３）と比較すると、図６に示すフレキシブル配線基板１２８は、切り欠きが形成されておらず、延出部１４４が曲がった平面形状を有する。図３に示す延出部４４が真っ直ぐに延びているのに対し、本実施形態の延出部４４は、第１フレキシブル配線基板１３０の外側（Ｘ方向）に屈曲してＹ方向に延びている。
【００４５】
図７に示すように、第１の工程では、延出部１４４を折り曲げる。１回屈曲した延出部１４４は、第１フレキシブル配線基板１３０からはみ出すように搭載部１４２から延びる。詳しくは、延出部１４４は、搭載部１４２から、第１フレキシブル配線基板１３０の一方の面（液晶表示パネル１０の裏面１８と同じ方向を向く面）と重なって延びて、第１フレキシブル配線基板１３０からはみ出す。はみ出した延出部１４４は、曲がった平面形状によって、第１フレキシブル配線基板１３０の他方の面（液晶表示パネル１０の表示面１６と同じ方向を向く面）と重なるように延びて、第１フレキシブル配線基板１３０に接続する。
【００４６】
第２の工程は、屈曲した延出部１４４と第１フレキシブル配線基板１３０を同時に屈曲させる工程である。図８及び図９に示す液晶表示装置を得るために、図７に示すフレキシブル配線基板１２８をさらに屈曲させる。完成品としての液晶表示装置の詳細は、本実施形態の上記説明及び第１の実施形態の説明から導き出せる通りである。本実施の形態でも、図９に示すように、第１フレキシブル配線基板１３０の内側のスペースを広く確保することができる。
【００４７】
［第３の実施形態］
図１０は、第３の実施形態に係る液晶表示装置の背面を示す図である。図１１は、図１０に示す液晶表示装置のXI−XI線断面の拡大図である。
【００４８】
本実施形態では、第１フレキシブル配線基板２３０と第２フレキシブル配線基板２３２は、別部材からなる。詳しくは、延出部２４４は、第１フレキシブル配線基板２３０の外表面２４６と重なる部分２４７で第１フレキシブル配線基板２３０に接合して電気的に接続する。この構成に基づく違いを除いて、本実施形態には第１の実施形態で説明した内容が該当する。本実施の形態でも、第１フレキシブル配線基板２３０の内側のスペースを広く確保することができる。
【００４９】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００５０】
１０  液晶表示パネル、１２  基板、１４  基板、１６  表示面、１８  裏面、２０  集積回路チップ、２２  バックライト、２３  導光板、２４  発光部品、２６  フレーム、２８  フレキシブル配線基板、３０  第１フレキシブル配線基板、３２  第２フレキシブル配線基板、３４  接続端子、３６  外部端子、３８  電子部品、４０  切り欠き、４２  搭載部、４４  延出部、４６  外表面、４８  回路基板、１２８  フレキシブル配線基板、１３０  第１フレキシブル配線基板、１４２  搭載部、１４４  延出部、２３０  第１フレキシブル配線基板、２３２  第２フレキシブル配線基板、２４４  延出部、２４６  外表面、２４７  重なる部分。
【図１】
0005800507.tif 000002
【図２】
0005800507.tif 000003
【図３】
0005800507.tif 000004
【図４】
0005800507.tif 000005
【図５】
0005800507.tif 000006
【図６】
0005800507.tif 000007
【図７】
0005800507.tif 000008
【図８】
0005800507.tif 000009
【図９】
0005800507.tif 000010
【図１０】
0005800507.tif 000011
【図１１】
0005800507.tif 000012
【図１２】
0005800507.tif 000013